(57)【要約】  【課題】  インク用液体と、このインク用液体に着色する着色剤を分離した筆記具において、時間が経過してもほぼ変わらない見た目を保つことができる筆記具を提供する。  【解決手段】  インク用液体と、このインク用液体を着色する着色剤の主体とが分離して収納され、インク用液体が筆記先端へ誘導される途中で、着色剤がインク用液体に添加されるように形成されている筆記具において、当該筆記具の使用開始前においては、着色剤が収納される着色剤収納部へインク用液体を誘導する過程にこのインク用液体の流通を妨げる部分を有しており、インク用液体が着色剤収納部へ流出しないことを特徴とする。【選択図】図１
2005193491.tif 000002
【特許請求の範囲】
【請求項１】
インク用液体と、このインク用液体を着色する着色剤の主体とが分離して収納され、前記インク用液体が筆記先端へ誘導される途中で、前記着色剤がインク用液体に添加されるように形成されている筆記具において、
当該筆記具の使用開始前においては、前記着色剤が収納される着色剤収納部へ前記インク用液体を誘導する過程にこのインク用液体の流通を妨げる部分を有していることを特徴とする筆記具。
【請求項２】
前記インク用液体がこのインク用液体を収納する液体収納部からこの液体収納部の先端方向に備えられる前記着色剤収納部へ誘導される経路の途中であって、前記液体収納部の先端側に前記インク用液体を保持するインク用液体保持部と、
同経路の途中であって前記着色剤収納部の後端側に前記インク用液体保持部に接続可能な接続部とを備え、
前記筆記具の使用開始前においては、前記接続部が前記インク用液体保持部に接続されていないことにより前記インク用液体は前記着色剤収納部へ流出しないこととなっているとともに、
前記接続部を後端方向へ移動させることで、当該接続部が前記インク用液体保持部に接続され、これにより前記インク用液体が前記着色剤収納部へ流出することが可能となることを特徴とする請求項１記載の筆記具。
【請求項３】
前記インク用液体保持部の先端側に前記インク用液体の流出を妨げるインク流出防止具を設け、前記接続部は前記インク流出防止具に刺入可能とし、
前記筆記具の使用開始前においては、前記接続部が前記インク流出防止具に刺入されていないことにより前記インク用液体は前記着色剤収納部へ流出しないこととなっているとともに、
前記接続部を後端方向へ移動させることで当該接続部が前記インク流出防止具を貫通するように刺入された後、前記インク用液体保持部に接続され、これにより前記インク用液体が前記着色剤収納部へ流出することが可能となることを特徴とする請求項２記載の筆記具。
【請求項４】
前記インク用液体がこのインク用液体を収納する液体収納部からこの液体収納部の先端方向に備えられる前記着色剤収納部へ誘導される経路の途中であって、前記液体収納部から先端の方向に、前記インク用液体を流出するインク流出口と、
同経路の途中であって、前記インク流出口から先端の方向で、かつ前記着色剤収納部から後端の方向に、前記インク用液体を流入するインク流入口とを備え、
前記インク用液体は、前記インク流出口の位置と前記インク流入口の位置とが合致する場合に流通可能となっており、
前記筆記具の使用開始前は、前記インク流出口の位置と前記インク流入口の位置とが合致しておらず、これにより前記インク用液体を前記着色剤収納部へ流出させないこととするとともに、
前記筆記具の使用を開始する際には、前記インク流出口の位置と前記インク流入口の位置とを合致させることにより前記インク用液体が前記着色剤収納部へ流出することが可能となることを特徴とする請求項１記載の筆記具。
【発明の詳細な説明】
【技術分野】
【０００１】
本発明は、インク用液体と、このインク用液体に着色する着色剤を分離した筆記具に関する。
【背景技術】
【０００２】
従来、筆記具自体がインクを保有し、その筆記具自体が保有するインクを筆記先端へ導いて筆記できることとした筆記具としては種々のものが提供されている。このような筆記具としては、具体的には、例えば万年筆、ボールペン、フェルトペン、サインペンなどがあり、また、このような筆記具では、インク用液体である溶剤等に染料や顔料を着色剤としてあらかじめほぼ均一に溶解させたものが主流となっていた。しかし、近年、上述のような従来の筆記具とは外観が異なった筆記具の提供が望まれていた。そこで、この課題を解決すべく下記の特許文献１に開示する技術が提供されている。すなわち、特許文献１ではインク用液体と、このインク用液体に着色する着色剤を分離して収納し、インク用液体が流出されるまでの途中で着色剤がインク用液体に添加されるようにすることでインク用液体を無色透明等にすることにより、外観が従来の筆記具とまったく異なる筆記具を提供可能としている。
【特許文献１】特開２００２−１６６６９０号公報
【発明の開示】
【発明が解決しようとする課題】
【０００３】
上述の如く、特許文献１に開示している筆記具では、インク用液体と、このインク用液体に着色する着色剤を分離して収納することとしている。しかし、この筆記具では、前記インク用液体と前記着色剤は分離しているが、前記インク用液体を筆記先端へ誘導するインク用液体誘導芯を有しており、このインク用液体誘導芯を通して前記インク用液体と前記着色剤とが常時接触していることとなる。これにより分離して収納されている前記着色剤が前記インク用液体誘導芯を通して前記インク用液体が収納されている液体収納室に移動してくることとなり、時間が経過するとともに前記インク用液体が前記着色剤により着色されてしまうという問題が生じていた。特に前記筆記具が製造されてから使用が開始されるまでに在庫として長い時間滞留するような場合には、前記筆記具の使用時に既に前記インク用液体が着色されてしまい、筆記具の外観について異なった印象を与えるという効果を得られないこととなる。
【０００４】
したがって、上記のような事情により、長時間経過しても前記インク用液体が前記着色剤により着色されないような筆記具の提供が望まれている。そこで、本発明は、上記事情に鑑みてなされたものであり、着色剤がインク用液体に混入しにくくすることで当該インク用液体が着色されるのを緩和し、時間が経過してもほぼ変わらない外観を保つことができる筆記具を提供することを第１の課題とする。
さらに、本発明は、上記第１の課題に加え、着色剤がインク用液体に混入することを容易に防止することができるような構造を有する筆記具を提供することを第２の課題とする。
【０００５】
さらに、本発明は、上記第１の課題に加え、より一層着色剤がインク用液体に混入しにくく、かつ前記着色剤が前記インク用液体に混入するのを容易に防止することができるような構造を有する筆記具を提供することを第３の課題とする。
【課題を解決するための手段】
【０００６】
（第１の発明）
本発明のうち第１の発明は、インク用液体53と、このインク用液体53を着色する着色剤37の主体とが分離して収納され、前記インク用液体53が筆記先端21へ誘導される途中で、前記着色剤37がインク用液体53に添加されるように形成されている筆記具において、当該筆記具の使用開始前においては、前記着色剤37が収納される着色剤収納部36へ前記インク用液体53を誘導する過程にこのインク用液体53の流通を妨げる部分を有していることを特徴とする。
「インク用液体53」とは、従来のインクのビヒクルに相当するものであり、従来のインクから染料又は顔料を除いた部分を主体とするものを言う。当該インク用液体53の調整方法については特に限定されるものではなく、例えば、従来のインクのビヒクルをそのまま用いることによって、無色透明又は半透明のインク用液体53を調整することができる。また、例えば、従来のインクのビヒクルに所定の成分を加えることによって、又は従来のインクのビヒクルから所定の成分を取り除くことによって、無色透明又は半透明のインク用液体53を調整することもできる。具体的には、このインク用液体53は、例えば、水、水溶性有機溶剤、潤滑剤、防腐剤、防錆剤、ｐＨ調整剤、乾燥防止剤、増粘剤などによって調整することができる。なお、これらはそれぞれ単独で用いてもよく、また、２種類以上を組み合わせて用いてもよい。また、インク用液体は無色でもよいし、有色でもよい。
【０００７】
「着色剤37」とは、従来のインクの染料又は顔料に相当するものであり、従来のインクからビヒクルを除いた部分を主体とするものである。すなわち、インク用液体53に着色剤37が添加されることにより、従来のインクとほぼ同様のインクが調整されることとなるのである。また、当該着色剤37の調整方法については特に限定されるものではなく、例えば、従来のインクの染料又は顔料をそのまま用いることによって、固形状又は高濃度の液状の着色剤37を調整することができる。また、例えば、従来のインクのビヒクルに、極めて多量の染料又は顔料を溶解又は分散させることによって、高濃度の液状の着色剤37を調整することもできる。具体的には、この着色剤37は、例えば、直接染料、酸性染料、塩基性染料、蛍光染料、又は食用染料などの染料、あるいは無機系顔料、有機系顔料、無機系蛍光顔料、又は有機系蛍光顔料などの顔料などによって調整することができる。なお、これらは、それぞれ単独で用いてもよく、また、２種類以上を組み合わせて用いてもよい。また、水、水溶性有機溶剤、潤滑剤、防腐剤、防錆剤、ｐＨ調整剤、乾燥防止剤、増粘剤、又はエマルジョンなどを適宜配合したものに、上述した染料又は顔料を多量に溶解又は分散させることによって、着色剤37を調整することもできる。
【０００８】
「筆記先端21」とは、筆記具の筆記部分を言う。ここでは筆記具は特に限定されるものではなく、これに伴い前記筆記先端21も特に限られない。たとえば、筆記具としてはボールペン、万年筆、フェルトペンなどが挙げられ、これに対応して筆記先端21としてはボールペンチップ、ペン先、フェルトなどが挙げられる。
「インク用液体53と着色剤37の主体が分離して収納され」とは、筆記具の内部に、インク中に含まれるインク用液体53と着色剤37の主体とが分けられて別々に収納されることを意味する。また「インク用液体53が筆記先端21へ誘導される途中で着色剤37がインク用液体53に添加される」態様としては、例えばインク用液体53がこのインク用液体53を収納している液体収納部52から筆記先端21へ至るまでの間に、インク用液体53が着色剤37を収納している着色剤収納部36を通過して、これにより着色剤37がインク用液体53に混入する態様が挙げられる。ここで着色剤37の形状に関しては特に限定されるものではなく、たとえば固形状とすることもできるし、液体状とすることもできる。着色剤37を固形状とした場合にあっては、前記インク用液体53が当該固形状の着色剤37を収納している着色剤収納部36を通過することにより、前記着色剤37が溶解して前記インク用液体53に添加されることとなる。また着色剤37を液体状とした場合にあっては、前記インク用液体53が当該液体状の着色剤37を収納している着色剤収納部36を通過することにより、前記着色剤37が混入して添加されることとなる。
【０００９】
「着色剤収納部36」とは上述の如く、前記着色剤37を収納する部分であり、軸筒11内部の先端側に設けられるコレクター31の内孔の内部を前記着色剤収納部36とすることもできるし、また筒状部材（後述する発明の実施の形態においては円筒状部材）を設けて、この内部を前記着色剤収納部36とすることもできる。前記筒状部材の構造、材質などに関しては特に限定されるものではなく、たとえばポリプロピレン（ＰＰ）、ポリエチレン（ＰＥ）、アクリロニトリルブタジエンスチレン樹脂（ＡＢＳ）、ポリスチレン（ＰＳ）、スチレン・アクリロニトリル共重合体（ＡＳ）、ポリカーボネート（ＰＣ）を用いて形成することができる。
【００１０】
「着色剤収納部36へ前記インク用液体53を誘導する過程にこのインク用液体53の流通を妨げる部分を有して」とは、たとえばインク用液体53がこのインク用液体53を収納する液体収納部52から前記着色剤収納部36に至るまでの過程において、インク用液体53の流通経路が遮断弁などにより堰き止められていること、当該経路が不連続となるように空間部が設けられていること等を意味する。これにより、筆記具の使用開始前においては、このインク用液体53は前記着色剤収納部36まで到達することができない。したがって、前記着色剤37が前記インク用液体53に混入することもなく、前記液体収納部52に収納されている前記インク用液体53は最初の状態を保つことができることとなる。
【００１１】
（第２の発明）
本発明のうち第２の発明は、上記第１の発明の特徴に加え、前記インク用液体53がこのインク用液体53を収納する液体収納部52からこの液体収納部52の先端方向に備えられる前記着色剤収納部36へ誘導される経路の途中であって、前記液体収納部52の先端側に前記インク用液体53を保持するインク用液体保持部48と、同経路の途中であって前記着色剤収納部36の後端側に前記インク用液体保持部48に接続可能な接続部35とを備え、前記筆記具の使用開始前においては、前記接続部35が前記インク用液体保持部48に接続されていないことにより前記インク用液体53は前記着色剤収納部36へ流出しないこととなっているとともに、前記接続部35を後端方向へ移動させることで、当該接続部35が前記インク用液体保持部48に接続され、これにより前記インク用液体53が前記着色剤収納部36へ流出することが可能となることを特徴とする。
【００１２】
「液体収納部52」とは上述の如く、前記インク用液体53を収納する部分であり、前記筆記具の軸筒11後半部分の内部に設けられている。前記インク用液体53はこの液体収納部52から先端方向に誘導されることとなる。
また、「先端」とは前記筆記具の軸筒11に設けられる筆記先端21が存在する側の端部を意味する。また「先端側」とは前記先端に近い側を意味する。また「先端方向」とは前記先端の存在する方向を意味する。
一方、「後端」とは前記先端と反対側の端部を意味する。また「後端側」とは前記後端に近い側を意味する。また「後端方向」とは前記後端の存在する方向を意味する。
【００１３】
「インク用液体保持部48」とは前記インク用液体53を保持することで、該インク用液体保持部48から先端方向に前記インク用液体53が流出するのを抑制する部分であって、前記液体収納部52とその先端方向に備えられる前記着色剤収納部36との間に設けられたものである。
このインク用液体保持部48は前記インク用液体53の流出を完全に遮断するものである必要はなく、たとえば吸水性が高い部材を設けて前記インク用液体53を含浸させておく等、前記インク用液体53を保持することができれば、インク用液体保持部48の構成等は特に限定されるものではない。たとえば上述の吸水性が高い部材としてはポリウレタンにより形成されたスポンジを用いることができる。また、前記部材はこれらのうち１部材を単独で前記インク用液体保持部48に設けることが可能であるとともに、複数の部材を組み合わせて２層以上の複数階層として前記インク用液体保持部48に設けることも可能である。このインク用液体保持部48にインク用液体53が含浸されること、及び、インク用液体保持部48と接続部との間に空間部が存在することにより前記インク用液体53が前記着色材収納部36へ流出することを防止する。
【００１４】
また、前記着色剤37の後端側には前記着色剤37が後端方向へ移動するのを規制する着色剤移動規制体32を設けることもできる。これにより、着色剤収納部36へインク用液体53を流通させた後において着色剤37を吸着等し、インク用液体53の着色を抑制することができる。前記着色剤移動規制体32としては活性炭30等を使用することができる。
「接続部35」とは、前記インク用液体保持部48の先端方向に位置し前記着色剤収納部36の後端側に形成され、前記インク用液体保持部48に接続可能であるとともに接続された場合に前記インク用液体53を前記着色剤収納部36へ誘導する部分である。すなわち、前記着色剤収納部36の後端側に形成された前記接続部35が前記インク用液体保持部48と接続されることにより、このインク用液体保持部48に保持されていた前記インク用液体53がこの接続部35を通じて前記着色剤収納部36に流通することとなる。前記接続部35と前記インク用液体保持部48とは接触さえすれば前記インク用液体53が流通可能となるものであるため、前記接続部35を平面形状として前記インク用液体保持部48の先端側の面と接触させて接続することもできる。また、前記インク用液体保持部48と前記接続部35とを確実に接触させるべく、前記接続部35を前記インク用液体保持部48方向に突出する凸体に形成し、これを前記インク用液体保持部48に刺入して接続することもできる。この際、前記凸体の形状は、特に限定されるものではないが、前記インク用液体保持部48に刺入しやすい形状とするのが望ましく、たとえば断面が十字形となる溝を設けた形状や、軸方向に数本のスリットを入れた形状等が挙げられる。また、前記接続部35は前記着色剤収納部36と別部材として当該着色剤収納部36の後端に形成することも可能であるが、前記着色剤37自身の後端を前記接続部35として形成することもできる。また、前記接続部35の材質に関しては、特に限定されることはないが、前記着色剤37を拡散途中で吸着させるべく毛細管力のある物質を組み込むのが望ましい。毛細管力のある物質としては、たとえば繊維を束ねて加工した繊維束芯や、樹脂成形体の内部に毛細管力を持たせたもの、樹脂成形体外側に毛細管力を持たせたものなどを用いることができる。
【００１５】
前記接続部35と前記着色剤収納部36の接続方法としては、たとえば以下のような方法が挙げられる。前記接続部35は上述の如く、前記着色剤収納部36の後端側に形成されている。前記軸筒11内部の先端側に設けられるコレクター31の内孔には、その後端が窄まった管状部材26の外周面が係止されている。当該管状部材26の内部は着色剤収納部36になっており、その後方から前方に向かって順に接続部35、着色剤37が設けられている。管状部材26の先端内壁には、口先部22が圧入固定されているとともに、口先部22の内部に配置された中継芯24が着色剤収納部36に接続されている。そして、中継芯24の先端は、口先部22の先端に設けられた筆記先端21の内部を挿通し、ボールペンチップである筆記先端21の先端に設けられた筆記ボール周辺まで達している。また、軸筒11の先端には、継ぎ手23が係止されており、その中心に設けられた貫通孔27を貫いて、口先部22の先端及び筆記先端21が突出している。前記筆記先端21を後方へ移動させると、筆記先端21に連動して、口先部22も後方へ移動する。口先部22の中程に設けられた顎部25により、管状部材26が後方へ押し込まれる。この結果、管状部材26内の着色剤37、接続部35も後方へ移動する。
【００１６】
前記筆記具の使用開始前においては、前記接続部35は前記インク用液体保持部48と接続されておらず、前記インク用液体53の流通は前記インク用液体保持部48と前記接続部35との間に形成された空間により妨げられていることとなる。一方、前記筆記具の使用を開始する際には、前記接続部35を前記インク用液体保持部48に接続して前記インク用液体53が前記着色剤収納部36方向へ流通できるようにする。前記接続部35は上述の如く、前記筆記先端21と連動して後退する管状部材26に設けられているため、前記筆記先端21の移動とともに前記接続部35も移動することになる。そこで、前記筆記具の使用者はこの筆記具を使用する際には、前記筆記先端21を紙面等に押し付けることにより前記筆記先端21を後端方向に移動させる。すると前記筆記先端21に連動して前記接続部35も後端方向に移動して、前記接続部35が前記インク用液体保持部48に接続することとなり、前記インク用液体53が前記着色剤収納部36方向へ流通することとなる。なお、前記接続部35を前記インク用液体保持部48の方向へ移動させる手段は、上記方法に限定されるものではなく、たとえば筆記具のキャップ等他の部材や治具等を用いて行うことができる。
【００１７】
また、前記インク用液体保持部48の先端側に前記インク用液体53の流出を妨げるインク流出防止具47を設け、前記接続部35は前記インク流出防止具47に刺入可能とし、前記筆記具の使用開始前においては、前記接続部35が前記インク流出防止具47に刺入されていないことにより前記インク用液体53は前記着色剤収納部36へ流出しないこととなっているとともに、前記接続部35を後端方向へ移動させることで、当該接続部35が前記インク流出防止具47を貫通するように刺入された後、前記インク用液体保持部48に接続され、これにより前記インク用液体53が前記着色剤収納部36へ流出することができるようにしてもよい。
「インク流出防止具47」は、前記インク用液体53が前記液体収納部52から先端方向へ誘導されるのを遮断する部材であって、前記インク用液体保持部48とその先端方向に備えられる前記着色剤収納部36との間に設けられたものである。インク流出防止具47は、前記インク用液体53の流通を遮断できる部材であれば、その材質等に関して特に限定されるものではなく、たとえばＮＢＲ、ＥＰＤＭ、シリコンゴム等により形成されたシール部材等を使用することができる。これにより前記インク用液体53が前記着色剤収納部36へ流出するのを遮断する。
【００１８】
「接続部35」は、上述した通り、前記インク用液体保持部48の先端方向に位置し前記着色剤収納部36の後端側に形成され、前記インク用液体保持部48に接続可能であるとともに接続された場合に前記インク用液体53を前記着色剤収納部36へ誘導する部分であるが、ここでは、上述の如く、前記インク用液体保持部48の先端に前記インク用液体53の流出を遮断する前記インク流出防止具47が設けられているため、前記インク用液体53を流通させるには、前記インク流出防止具47を貫通して前記インク用液体保持部48と前記接続部35とを接続する必要がある。したがって、かかる場合は前記接続部35を前記インク用液体保持部48方向に突出する凸体に形成するものとし、これを前記インク流出防止具47に刺入し貫通させることで前記インク用液体保持部48と接続する。この際、前記凸体の形状は、特に限定されるものではないが、前記インク流出防止具47に刺入しやすい形状とするのが望ましく、たとえば断面が十字形となる溝を設けた形状や、軸方向に数本のスリットを入れた形状等が挙げられる。また、前記接続部35は、上述した通り前記着色剤37と別部材として当該着色剤37の後端に形成することも可能であるが、前記着色剤37自身の後端を前記接続部35として形成することもできる。また、前記接続部35の材質は、特に限定されることはないが、前記着色剤37を拡散途中で吸着させるべく毛細管力のある物質を組み込むのが望ましい。毛細管力のある物質としては、たとえば繊維を束ねて加工した繊維束芯や、樹脂成形体の内部に毛細管力を持たせたもの、樹脂成形体外側に毛細管力を持たせたものなどを用いることができる。
【００１９】
前記接続部35と前記着色剤収納部36の接続方法としては、上述した通り、たとえば以下のような方法が挙げられる。前記接続部35は上述の如く、前記着色剤収納部36の後端側に形成されている。前記軸筒11内部の先端側に設けられるコレクター31の内孔には、その後端が窄まった管状部材26の外周面が係止されている。当該管状部材26の内部は着色剤収納部36になっており、その後方から前方に向かって順に接続部35、着色剤37が設けられている。管状部材26の先端内壁には、口先部22が圧入固定されているとともに、口先部22の内部に配置された中継芯24が着色剤収納部36に接続されている。そして、中継芯24の先端は、口先部22の先端に設けられた筆記先端21の内部を挿通し、ボールペンチップである筆記先端21の先端に設けられた筆記ボール周辺まで達している。また、軸筒11の先端には、継ぎ手23が係止されており、その中心に設けられた貫通孔27を貫いて、口先部22の先端及び筆記先端21が突出している。前記筆記先端21を後方へ移動させると、筆記先端21に連動して、口先部22も後方へ移動する。口先部22の中程に設けられた顎部25により、管状部材26が後方へ押し込まれる。この結果、管状部材26内の着色剤37、接続部35も後方へ移動する。
【００２０】
前記筆記具の使用開始前においては、前記接続部35は前記インク用液体保持部48及び前記インク流出防止具47と接続されておらず、前記インク用液体53の流通は前記インク流出防止具47及び前記インク用流出防止具47と前記接続部35との間に形成された空間により妨げられていることとなる。一方、前記筆記具の使用を開始する際には、前記接続部35を前記インク用流出防止具47に刺入してこれを貫通し前記インク用液体保持部48に接続して前記インク用液体53が前記着色剤収納部36方向へ流通できるようにする。前記接続部35は上述の如く、前記筆記先端21と連動して後退する管状部材26に設けられているため、前記筆記先端21の移動とともに前記接続部35も移動することになる。そこで、前記筆記具の使用者はこの筆記具を使用する際には、前記筆記先端21を紙面等に押し付けることにより前記筆記先端21を後端方向に移動させる。すると前記筆記先端21に連動して前記接続部35も後端方向に移動して、前記接続部35が前記インク流出防止具47に刺入してこれを貫通し前記インク用液体保持部48に接続することとなり、前記インク用液体53が前記着色剤収納部36方向へ流通することとなる。なお、前記接続部35を前記インク用液体保持部48の方向へ移動させる手段は、上記方法に限定されるものではなく、たとえば筆記具のキャップ等他の部材や治具等を用いて行うことができる。
【００２１】
（第３の発明）
本発明のうち第３の発明は、上記第１の発明の特徴に加え、前記インク用液体53が、このインク用液体53を収納する液体収納部52から、この液体収納部52の先端方向に備えられる前記着色剤収納部36へ誘導される経路の途中であって、前記液体収納部52から先端の方向に前記インク用液体53を流出するインク流出口38と、同経路の途中であって、前記インク流出口38から先端の方向で、かつ前記着色剤収納部36から後端の方向に前記インク用液体53を流入するインク流入口40とを備え、前記インク用液体53は、前記インク流出口38の位置と前記インク流入口40の位置とが合致する場合に流通可能となっており、前記筆記具の使用開始前は、前記インク流出口38の位置と前記インク流入口40の位置とが合致しておらず、これにより前記インク用液体53を前記着色剤収納部36へ流出させないこととするとともに、前記筆記具の使用を開始する際には、前記インク流出口38の位置と前記インク流入口40の位置とを合致させることにより前記インク用液体53が前記着色剤収納部36へ流出することが可能となることを特徴とする。
【００２２】
「インク流出口38」とは、前記インク用液体53が前記液体収納部52から流出する口であり、前記液体収納部52から先端方向に備えられている。このインク流出口38は前記インク用液体53の流通経路の途中であって、前記液体収納部52よりも先端の方向に備えられていれば、その位置については特に限定されるものではなく、前記液体収納部52の先端に直接当該インク流出口38を備えてもよく、また前記液体収納部52の先端側に他の部材を設け、その部材の先端に前記インク流出口38を備えるようにすることもできる。尚、より好ましくは、着色剤収納部36と着色剤移動規制体32との間に設けることが望ましい。使用開始直前まで、インク用液体53のみならず、着色剤移動規制体32も着色剤37の吸着や着色を防止できるからである。前記インク流出口38の形状については、特に限定されるものではないが、後述するインク流入口40と位置を一致させることで前記インク用液体53を流通することができるようにするため、前記インク用液体53が流通しやすい形状であるのが望ましい。前記インク流出口38の形状は、たとえば長方形形状や半円形状とすることができる。また、前記インク流出口38と前記インク流入口40とは同一形状であることが望ましい。また、前記インク流出口38の大きさについても、特に限定されるものではないが、上述した理由と同様に、前記インク用液体53が流通しやすい大きさとするのが望ましい。但し、後述するように、前記筆記具の使用開始前においては前記インク用液体53は前記着色剤収納部36に流出することのないよう前記インク流入口38と前記インク流出口40とが重複部分を有しないようにする必要がある。
【００２３】
「インク流入口40」とは、前記インク用液体53が前記着色剤収納部36に流入する口であり、前記着色剤収納部36から後端方向に備えられている。このインク流入口40は前記インク用液体53の流通経路の途中であって、前記インク流出口38よりも先端の方向であって、かつ前記着色剤収納部36よりも後端の方向に備えられていれば、その位置については特に限定されるものではなく、前記着色剤収納部36の後端に直接当該インク流入口40を備えてもよく、また前記着色剤収納部36の後端側に他の部材を設け、その部材の後端に前記インク流入口40を備えるようにすることもできる。尚、より好ましくは、着色剤収納部36と着色剤移動規制体32との間に設けることが望ましい。使用開始直前まで、インク用液体53のみならず、着色剤移動規制体32も着色剤37の吸着や着色が防止できるからである。前記インク流入口40の形状については、上述と同様、特に限定されるものではないが、上述したインク流出口38と位置を一致させることで前記インク用液体53を流通することができるようにするため、前記インク用液体53が流通しやすい形状であるのが望ましい。前記インク流入口40の形状は、上述同様、たとえば長方形形状や半円形状とすることができる。また、前記インク流出口38と前記インク流入口40とは同一形状であることが望ましい。また、前記インク流入口40の大きさについても、上述同様、特に限定されるものではないが、前記インク用液体53が流通しやすい大きさとするのが望ましい。但し、上述同様、前記筆記具の使用開始前においては前記インク用液体53は前記着色剤収納部36に流出することのないよう前記インク流入口40と前記インク流出口38とが重複部分を有しないようにする必要がある。
【００２４】
また、前記インク流出口38及び前記インク流入口40の両者とも着色剤収納部36と着色剤移動規制体32との間に設けることが望ましい。
「筆記具の使用開始前は、インク流出口38の位置とインク流入口40の位置とが合致しておらず」とは、前記筆記具の使用開始前においては、前記インク流出口38と前記インク流入口40とが重複しないように位置していることを意味する。したがって、前記筆記具の使用開始前は、前記インク用液体53は前記液体収納部52から前記着色剤収納部36方向に流出することができないこととなっている。一方、前記筆記具の使用を開始する際には、前記インク流出口38の位置と前記インク流入口40の位置とを合致させ、前記インク流出口38と前記インク流入口40とが重複するように位置させる必要がある。
【００２５】
前記インク流出口38の位置と前記インク流入口40の位置とを合致させる方法は、特に限定されるものではないが、以下に述べるような方法によって合致させるのが望ましい。
前記コレクター31の内孔には、その後端面にインク流入口40が形成された管状部材26が回転可能に設けられている。該管状部材26の内部は着色剤収納部36になっており、その内部には、着色剤37が設けられている。管状部材26の先端内壁は拡径しており、この管状部材26の先端付近に口先部22が圧入固定されているとともに、口先部22の内部に配置された中継芯24が着色剤収納部36に接続されている。そして、中継芯24の先端は、口先部22の先端に設けられた筆記先端21の内部を挿通し、ボールペンチップである筆記先端21の先端に設けられた筆記ボール周辺まで達している。また、軸筒11の先端には、継ぎ手23が係止されており、その中心に設けられた貫通孔27を貫いて、口先部22の先端及び筆記先端21が突出している。
【００２６】
前記筆記具の使用開始前においては、前記インク流出口38と前記インク流入口40は１８０°反対の方向に位置するよう設けておく。そして、前記筆記具の使用を開始する際には、口先部22の回転と連動して回転する管状部材26を、口先部22を回転させることで１８０°円周方向へ回転移動させる。これにより、前記インク流出口38の位置と前記インク流入口40の位置とを合致させ、両者が重複するようにする。
【発明の効果】
【００２７】
本発明は、以下に記載されるような効果を奏する。
（第１の発明）
すなわち、本発明のうち第１の発明は、着色剤がインク用液体に混入しにくくすることで当該インク用液体が着色されるのを緩和し、時間が経過してもほぼ変わらない外観を保つことができる筆記具を提供することができる。
（第２の発明）
また、本発明のうち第２の発明は、上記した第１の発明の効果に加え、着色剤がインク用液体に混入することを容易に防止することができる筆記具を提供することができる。
【００２８】
（第３の発明）
また、本発明のうち第３の発明は、上記した第１の発明の効果に加え、より一層着色剤がインク用液体に混入しにくく、かつ前記着色剤が前記インク用液体に混入するのを容易に防止することができる筆記具を提供することができる。
【発明を実施するための最良の形態】
【００２９】
以下、本発明の実施の形態を図面を参照しつつ説明する。
（１）第１の実施の形態
図１は、本発明の第１の実施の形態に係るボールペン10の使用開始前の状態を示す正面断面図である。図２は、前記ボールペン10の使用開始後の状態を示す正面断面図である。図３は、本発明の第１の実施の形態に係るボールペンに一部変更を加えたボールペン10の使用開始前の状態を示す正面断面図である。図４は、図３に示すボールペン10の使用開始後の状態を示す正面断面図である。また、ここでは上述と同様に、「先端」とは筆記具として用いられる際に筆記先端に近い側の端部を意味し、また、「後端」とは先端の反対側、すなわち筆記を行う紙面から遠い側の端部を意味する。
【００３０】
（ボールペン10、軸筒11）
ボールペン10は、図１に示すように、円筒形状の軸筒11を備えている。この軸筒11内部の後端側にはインク用液体53を収納するための液体収納部52が設けられ、また前記軸筒11内部の先端側には、円筒形状であって、前記液体収納部52の圧力変化によるインク用液体53の筆記先端21からの漏れ出しを防止するためのコレクター31が備えられている。
また、前記軸筒11の先端には継ぎ手23が備えられており、この継ぎ手23を通じて、筆記先端21であるボールペンチップを備えた口先部22が前記軸筒11から突出することとなる。また、前記コレクター31は軸筒11の内壁との間で圧入係止されている。口先部22と継ぎ手23との間には空気流通用の溝が形成されており、軸筒11の内部と外部との通気を可能としている。さらに前記継ぎ手23の後端は、その外側において前記軸筒11の先端と嵌合される。すなわち前記継ぎ手23の後端を前記軸筒11の先端の内側に嵌め入れることが可能となっている。また、前記軸筒11は透明のポリプロピレン（ＰＰ）を材料として形成されている。その他、ポリエチレン（ＰＥ）、ポリエチレンテレフタレート（ＰＥＴ）等を用いることもできる。なお、当該軸筒11前半の外径は、その軸筒11後半の外径よりも小さくなるように形成されている（図１参照）。
【００３１】
（コレクター31）
前記コレクター31は上述の如く、前記軸筒11の内壁との間で圧入係止されている。また、前記コレクター31は上述の如く、円筒形状となっており、当該コレクター31の軸方向の中心には後端から先端まで貫通する断面円形の貫通孔が設けられている。当該貫通孔の軸方向ほぼ中間部分に、内方へ凸となることにより内径が小さくなる縮径部46が設けられている（図１参照）。
また、前記コレクター31の外周には、当該コレクター31の後端から当該コレクター31の先端へ向けて形成されているインク溝と、前記コレクター31の先端から当該コレクター31の後端側へ向けて形成されている通気溝（空気孔を介して外界と通じている）と、これらのインク溝及び通気溝の双方と交わるように形成されている多数の液体保留溝とが設けられている。これらの溝にインク用液体53を保溜等することにより、液体収納部52内の圧力変化を緩衝することとしている。
【００３２】
前記コレクター31内の後端には、前記液体収納部52に収納されているインク用液体53を先端方向へ誘導するインク用液体誘導芯51が備えられている。このインク用液体誘導芯51の後端部分は前記液体収納部内52に位置している。また、前記インク用液体誘導芯51はポリエチレンテレフタレート（ＰＥＴ）繊維を材料として円柱棒形状に形成されている（図１参照）。
また、前記コレクター31の内部には、前記インク用液体誘導芯51に続いて先端側に着色剤移動規制体32としての活性炭30が備えられ、さらにその先端側に前記インク用液体保持部48としてのスポンジ部33が備えられる。前記液体誘導芯51、前記活性炭30及びスポンジ部33は、前記液体収納室52から前記インク用液体53を前方へ誘導するとともに、スポンジ部33にインク用液体53が含浸保持されること、及び、図１のようにインク用液体保持部48と接続部35との間に空間部が存在することによりインク用液体53の前方への移動を抑制する。尚、スポンジ部33を省略し、着色剤移動規制体32である活性炭30自身をインク用液体保持部48とすることができる。また、前記活性炭30は、インク用液体53方向に移動しようとする着色剤37を吸着する作用、すなわち、着色剤37の移動を規制する作用も有している。前記スポンジ部33は、上述の如く、ポリウレタンを材料として形成されている。
【００３３】
また、図３及び図４に示すように、前記スポンジ部33の先端側であって、前記縮径部46と重なる位置において前記インク流出防止具47としてのゴムシール34を備えるような変形例とすることも可能である。前記ゴムシール34は、上述の如く、シリコンゴム、ＮＢＲ、ＥＰＤＭを材料として形成されている。
前記縮径部46の先端側には管状部材26の内部に着色剤37を収納する着色剤収納部36が設けられている。この着色剤収納部36の後端には前記インク用液体53を前記着色剤収納部36へ誘導する接続部35が固定されており後端方向に突出している。前記接続部35はポリエチレンテレフタレート（ＰＥＴ）繊維を材料として円柱状に形成されて、前記インク流出防止具47に刺入しやすくなっている。また、前記着色剤収納部36の先端には、前記着色剤37によって着色された前記インク用液体53を前記口先部22に備えられた筆記先端21であるボールペンチップに誘導する中継芯24を備えている。また、前記着色剤収納部36には染料を含浸させた着色剤37を設けている。この染料は、上述の如く、たとえば直接染料、酸性染料、塩基性染料、蛍光染料、又は食用染料などを用いることができる。また、中継芯24はポリエチレンテレフタレート（ＰＥＴ）繊維を材料として形成されている。前記接続部35、前記着色剤収納部36、前記中継芯24及び前記筆記先端21であるボールペンチップ等は一体となって構成されている（図１参照）。
【００３４】
（インク用液体53の流通）
図１に示すように、前記ボールペン10の使用開始前においては、前記接続部35は前記スポンジ部33に接続されていない状態となる。すなわち、前記ボールペン10の使用時においては、前記接続部35が後端方向に移動し前記インク用液体保持部48としての前記スポンジ部33に接続されて前記インク用液体53が流通することとなるが、前記ボールペン10の使用開始前においては、上記した位置よりも先端方向であって前記スポンジ部33と前記接続部35との間に空間を有している状態となるように前記接続部35が位置していることとなる。これに伴い、前記接続部35と一体となって固定されている前記中継芯24及び前記筆記先端21としてのボールペンチップは、前記ボールペン10の使用開始前においては、前記継ぎ手23の先端よりもさらに少し先端方向に突出して位置していることとなる。また上述の如く、前記液体収納部52に収納されている前記インク用液体53は、前記着色剤移動規制体32としての活性炭30、前記インク用液体保持部48としての前記スポンジ部33及び前記接続部35との間の空間部とにより、このスポンジ部33より先端方向への流出が防止されている。よって、前記ボールペン10の使用開始前においては、前記インク用液体53は前記着色剤収納部36へは流通していないこととなる（図１参照）。したがって、前記着色剤収納部36に収納されている前記着色剤37が前記インク用液体53に混入することはなく、外観を最初の状態のまま保つことができる。
【００３５】
一方、図２に示すように、前記ボールペン10の使用を開始する際は上述の如く、前記接続部35が前記インク用液体保持部48としての前記スポンジ部33に接続されて前記インク用液体53が流通することとなる。すなわち、筆記者が前記ボールペン10の使用開始にあたり、前記筆記先端21を後端方向に押し入れることにより、当該筆記先端21のボールペンチップと一体となって備えられている前記中継芯24、前記着色剤収納部36及び前記接続部35も後端方向に移動することとなり、前記接続部35が前記インク用液体保持部48としての前記スポンジ部33に接続されることになる（図２参照）。
これにより、前記インク用液体53はインク用液体誘導芯51、着色剤移動規制体32としての活性炭30、スポンジ部33、接続部35、着色剤収納部36を順に浸透して先端方向へ誘導される。さらに着色剤収納部36まで誘導されたところで、その着色剤収納部36に収納されている着色剤37がインク用液体53に移行して、これによりインク用液体53は筆記可能な濃度にまで着色されることとなる。そして着色されたインク用液体53は中継芯24を浸透してさらに先端へ進み、筆記先端21として設けられているボールペンチップを介して紙面へ塗布されることとなる。
【００３６】
また、図３及び図４に示すような前記インク流出防止具47としてのゴムシール34をも備えるような変形例では、前記ボールペン10の使用を開始する際に、前記接続部35が前記インク流出具47としての前記ゴムシール34に刺入し、前記インク用液体保持部48としての前記スポンジ部33に接続され（図４参照）、前記インク用液体53が筆記先端21へと誘導されることとなる。
（２）第２の実施の形態
図５は、本発明の第２の実施の形態に係るボールペン10の使用開始前の状態を示す正面断面図である。図６は、前記ボールペン10の使用開始後の状態を示す正面断面図である。図７は、図５の使用開始前のボールペン10をＡ−Ａ断面で示した図である。図８は、図６の使用開始後のボールペン10をＢ−Ｂ断面で示した図である。図９は、図５の使用開始前のボールペン10をＣ−Ｃ断面で示した図である。図１０は、図６の使用開始後のボールペン10をＤ−Ｄ断面で示した図である。
【００３７】
（ボールペン10、軸筒11）
ボールペン10は、図５に示すように、円筒形状の軸筒11を備えている。この軸筒11内部の後端側にはインク用液体53を収納するための液体収納部52が設けられ、また前記軸筒11内部の先端側には、円筒形状であって、前記液体収納部52の圧力変化によるインク用液体53の筆記先端21からの漏れ出しを防止するためのコレクター31が備えられている。
また、前記軸筒11の先端には継ぎ手23が備えられており、この継ぎ手23を通じて、筆記先端21であるボールペンチップを備えた口先部22が前記軸筒11から突出することとなる。前記コレクター31は軸筒11の内壁との間で圧入係止されている。口先部22と継ぎ手23との間には空気流通用の溝が形成されており、軸筒11の内部と外部との通気を可能としている。さらに前記継ぎ手23の後端は、その外側において前記軸筒11の先端と嵌合される。すなわち前記継ぎ手23の後端を前記軸筒11の先端の内側に嵌め入れることが可能となっている。
【００３８】
また、前記軸筒11は透明のポリプロピレン（ＰＰ）を材料として形成されている。その他、ポリエチレン（ＰＥ）、ポリエチレンテレフタレート（ＰＥＴ）等を用いることもできる。なお、当該軸筒11前半の外径は、その軸筒11後半の外径よりも小さくなるように形成されている（図５参照）。
（コレクター31）
前記コレクター31は上述の如く、前記軸筒11の内壁との間で圧入係止されている。  また、前記コレクター31は上述の如く、円筒形状となっており、当該コレクター31の軸方向の中心には後端から先端まで貫通する断面円形の貫通孔が設けられている。
【００３９】
また、前記コレクター31の外周には、当該コレクター31の後端から当該コレクター31の先端へ向けて形成されているインク溝と、前記コレクター31の先端から当該コレクター31の後端側へ向けて形成されている通気溝（空気孔を介して外界と通じている）と、これらのインク溝及び通気溝の双方と交わるように形成されている多数の液体保留溝とが設けられている。これらの溝にインク用液体53を保溜等することにより、液体収納部52内の圧力変化を緩衝することとしている。
前記コレクター31内の後端には、前記液体収納部52に収納されているインク用液体53を先端方向へ誘導するインク用液体誘導芯51が備えられている。このインク用液体誘導芯51の後端部分は前記液体収納部内52に位置している。また、前記インク用液体誘導芯51はポリエチレンテレフタレート（ＰＥＴ）繊維を材料として円柱棒形状に形成されている（図５参照）。
【００４０】
また、前記コレクター31の内部には、前記インク用液体誘導芯51に続いて先端側に着色剤移動規制体32としての活性炭30が備えられる。前記液体誘導芯51、前記活性炭30は、前記液体収納室52から前記インク用液体53を前方へ誘導する。また、前記活性炭30は、インク用液体53方向に移動しようとする着色剤37を吸着する作用、すなわち、着色剤37の移動を規制する作用も有している。
さらに前記活性炭30の先端方向で前記コレクター31の軸方向ほぼ中間部分に、円筒形状のフィルター部39が備えられている。前記フィルター39の先端には、前記インク用液体53を流出する半月状孔であるインク流出口38を有した面を備えている。前記フィルター部39はポリウレタンスポンジを材料として形成されている。フィルター部39は、着色剤移動規制体32である活性炭30の前方への移動を防止している。活性炭30は粉状物が結合したものであり、粉状物が前方へ移動すると、管状部材26の可動に不具合を発生させるおそれ等がある。このフィルター部39はこの活性炭30の移動を抑制しようとするものである。このため、着色剤移動規制体32が粉状等でなければこのフィルター部39を設けないようにすることもできる。
【００４１】
前記フィルター部39に続いてさらに先端方向には円筒形管体であって着色剤37を収納する着色剤収納部36が設けられている。この着色剤収納部36の後端には、前記インク用液体53を流入する半月状孔であるインク流入口40を有した面を備えている。
また、前記着色剤収納部36の先端側には、その着色剤収納部36に収納されている前記着色剤37を前記口先部22に備えられた前記筆記先端21であるボールペンチップに誘導する中継芯24を備えている。また、前記着色剤収納部36には、染料が含浸された着色剤37が収納されており、また、中継芯24はポリエチレンテレフタレート（ＰＥＴ）繊維を材料として形成されている。
【００４２】
前記着色剤収納部36、前記中継芯24、前記口先部22及び前記筆記先端21であるボールペンチップは一体となって構成され、かつ固定されている（図５参照）。
また、前記ボールペン10の使用開始前においては前記インク流出口38と前記インク流入口40は一致しておらず、両者は１８０°反対の方向に位置することとなっている（図５及び図７参照）。したがって１８０°回転をさせると前記インク流出口38と前記インク流入口40は一致することとなる（図６及び図８参照）。
（口先部22の構造）
前記軸筒11の内部には、上述の如く前記中継芯24を備えた口先部22が固定されており、継ぎ手23とその内部中央に固定された管状部材26との間は間隙45となっている（図５及び図９参照）。管状部材26の先端付近には、四分の三周であって前記口先部22の外周から継ぎ手23に設けられたリブの内接円の内周までの距離の約半分を筒幅とする小幅部42と、残りの四分の一周であって前記小幅部42よりも外方へやや突出している係止部43とを有している。また、コレクター31の先端付近には、前記円筒部41の小幅部42の外周から継ぎ手23のリブの内接円までの距離を筒幅とする円筒の四分の一周である被係止部44が固定されている（図９及び図１０参照）。
【００４３】
また上述の如く、口先部22は管状部材26の内周面に固定されているため、前記口先部22を円周方向に回転移動させると、前記口先部22と一体となって構成され固定されている管状部材26も同方向に同角度分だけ回転移動することとなる（図５及び図９参照）。
また、前記口先部22の円周方向への回転は、口先部22の外周面に形成した係止溝28に嵌め合わされる治具（図示せず）により行われるが、別部品である治具を用いることなく、キャップなど筆記具を構成する部品の一部に係止溝28に嵌め合わされる形状を形成し、このキャップなどで口先部22を回転させるようにしてもよい。また、本発明の実施の形態では口先部22を回転させることで、前記インク流入口40を回転させるようにしたが、他の部材を回転させることで前記インク流入口40を回転させるようにしてもよい。また、前記インク流入口40は回転させることで、前記インク流出口38を合致させるようにしたが、必ずしも回転に限らずスライド等の手段によってもよい。
【００４４】
（インク用液体53の流通）
図９に示すように、前記ボールペン10の使用開始前においては、管状部材26の係止部43の一端が前記被係止部44の一端と接触している。上述の如く、この状態において、前記フィルター部39の先端面に設けられたインク流出口38と前記着色剤収納部36の後端面に設けられたインク流入口40とは１８０°反対に位置しているため、両者は一致しておらず、前記液体収納部52から誘導された前記インク用液体53は前記インク流出口38と前記インク流入口40とが合致していないため堰き止められ、前記着色剤収納部36に流入せず、前記インク用液体53は流通していないこととなる（図７参照）。したがって、前記着色剤収納部36に収納されている前記着色剤37が前記インク用液体53に混入することはなく、外観を最初の状態のまま保つことができる。
【００４５】
ここで、前記管状部材26は、上述の如く前記間隙45内を円周方向に回転移動可能となっている。すなわち、現在前記被係止部44と接触している前記係止部43の一端と反対側に位置する一端が、接触している前記被係止部44の一端と反対側に位置する一端と当接するまで１８０°回転移動することができる。また、前記管状部材26は前記口先部22と固定されているため、前記口先部22を回転移動させることにより前記円筒部41も回転移動することとなる（図９及び図１０参照）。
このように、前記円筒部41を１８０°回転移動させると、前記着色剤収納部36の後端面に設けられたインク流入口40も、上述と同様、同方向に１８０°回転移動することとなる。したがって前記ボールペン10の使用時においては、前記円筒部41を１８０°回転移動させることにより前記フィルター部39の先端面に設けられた前記インク流出口38と前記着色剤収納部36の後端面に設けられた前記インク流入口40とが重複する位置に備えられることとなり、前記インク用液体53の流通路が形成され、前記インク用液体53が前記着色剤収納部36に流通することとなる（図８参照）。
【００４６】
これにより、前記インク用液体53はインク用液体誘導芯51、活性炭30、着色剤収納部36を順に浸透して先端方向へ誘導される。さらに着色剤収納部36まで誘導されたところで、その着色剤収納室36に収納されている着色剤37がインク用液体53に移行して、これによりインク用液体53は筆記可能な濃度にまで着色されることとなる。そして着色されたインク用液体53は中継芯24を浸透してさらに先端へ進み、筆記先端21であるボールペンチップを介して紙面へ塗布されることとなる。
【図面の簡単な説明】
【００４７】
【図１】本発明の第１の実施の形態に係るボールペンの使用開始前の状態を示す正面断面図である。
【図２】前記ボールペンの使用開始後の状態を示す正面断面図である。
【図３】本発明の第１の実施の形態に係るボールペンに一部変更を加えたボールペンの使用開始前の状態を示す正面断面図である。
【図４】図３に示すボールペンの使用開始後の状態を示す正面断面図である。
【図５】本発明の第２の実施の形態に係るボールペンの使用開始前の状態を示す正面断面図である。
【図６】前記ボールペンの使用開始後の状態を示す正面断面図である。
【図７】図５の使用開始前のボールペンをＡ−Ａ断面で示した図である。
【図８】図６の使用開始後のボールペンをＢ−Ｂ断面で示した図である。
【図９】図５の使用開始前のボールペンをＣ−Ｃ断面で示した図である。
【図１０】図６の使用開始後のボールペンをＤ−Ｄ断面で示した図である。
【符号の説明】
【００４８】
10  ボールペン          11  軸筒
21  筆記先端            22  口先部
23  継ぎ手              24  中継芯
25  顎部                26  管状部材
27  貫通孔              28  係止溝
30  活性炭
31  コレクター          32  着色剤移動規制体
33  スポンジ部          34  ゴムシール
35  接続部              36  着色剤収納部
37  着色剤              38  インク流出口
39  フィルター部        40  インク流入口
41  円筒部              42  小幅部
43  係止部              44  被係止部
45  間隙                46  縮径部
47  インク流出防止具    48  インク用液体保持部
51  インク用液体誘導芯  52  液体収納部
53  インク用液体
【図１】
2005193491.tif 000003
【図２】
2005193491.tif 000004
【図３】
2005193491.tif 000005
【図４】
2005193491.tif 000006
【図５】
2005193491.tif 000007
【図６】
2005193491.tif 000008
【図７】
2005193491.tif 000009
【図８】
2005193491.tif 000010
【図９】
2005193491.tif 000011
【図１０】
2005193491.tif 000012